(57)【要約】【課題】選局状態を自然な態様で表示することができ、且つ選局動作を高速化することができるＤＡＢ受信機及びＤＡＢ信号受信制御方法を提供すること。【解決手段】ＤＡＢ受信機１００は、受信したＤＡＢ信号から指定ＣＨのＤＡＢ信号を選局する第１チューナ１１０及び第２チューナ１２０を備える。制御部１３０は、第１チューナ１１０と第２チューナ１２０とを相互に所定周期より短い周期でずらしたタイミングで切り替えて音声受信シーク動作させ、且つ、当該音声受信シーク動作中の放送局の局情報を順次切り替えて表示部１４０に表示させる。【選択図】図１
2013207503.tif 000002
【特許請求の範囲】
【請求項１】
第１ＤＡＢチューナと、第２ＤＡＢチューナと、表示部と、所定周期で前記第１ＤＡＢチューナと前記第２ＤＡＢチューナの切替え動作を行う制御部と、を備えるＤＡＢ受信機において、
前記制御部は、前記第１ＤＡＢチューナと前記第２ＤＡＢチューナとを相互に前記所定周期より短い周期でずらしたタイミングで切り替えて音声受信シーク動作させ、且つ、当該音声受信シーク動作中の放送局の局情報を順次切り替えて前記表示部に表示させる、ＤＡＢ受信機。
【請求項２】
前記短い周期は、前記所定周期の１／２周期である、請求項１に記載のＤＡＢ受信機。
【請求項３】
前記局情報は、チャネル番号又は周波数のいずれか一つを含む請求項１又は２のいずれか一項に記載のＤＡＢ受信機。
【請求項４】
前記第１ＤＡＢチューナは、音声受信用ＤＡＢチューナ、前記第２ＤＡＢチューナは、交通情報受信用ＤＡＢチューナである、請求項１に記載のＤＡＢ受信機。
【請求項５】
第１ＤＡＢチューナと、第２ＤＡＢチューナと、表示部と、所定周期で前記第１ＤＡＢチューナと前記第２ＤＡＢチューナの切替え動作を行う制御部と、を備えるＤＡＢ受信機のＤＡＢ信号受信制御方法において、
前記第１ＤＡＢチューナと前記第２ＤＡＢチューナとを相互に前記所定周期より短い周期でずらしたタイミングで切り替えて音声受信シーク動作させ、
且つ、当該音声受信シーク動作中の放送局の局情報を順次切り替えて前記表示部に表示させる、ＤＡＢ受信機のＤＡＢ信号受信制御方法。
【発明の詳細な説明】
【技術分野】
【０００１】
本発明は、ＤＡＢ（Digital Audio Broadcasting）受信機及びＤＡＢ信号受信制御方法に関する。特に、ＤＡＢ信号周波数（アンサンブル周波数）として割り当てられた多数の周波数のうち幾つかの周波数が実際に使用され、大半が使用されていない場合に適用して好適なＤＡＢ受信機及びＤＡＢ信号受信制御方法に関する。
【背景技術】
【０００２】
オーディオ放送のデジタル化の動きが活発になってきている。ＤＡＢ放送システムは、主に欧州で実用化されている。
【０００３】
ＤＡＢ放送システムでは、１６ｋＨｚの倍数の周波数にＤＡＢ放送周波数を配置するようになっており、現在ヨーロッパで放送される可能性のある周波数として６１種類が定義されている。しかし、実際にＤＡＢ放送しているＤＡＢ放送局数及びＤＡＢ放送周波数は少ない。このため、実際に使用されているＤＡＢ放送周波数間の周波数間隔が大きく、その間に多数の未使用ＤＡＢ放送周波数が存在することになる。
【０００４】
したがって、放送しているＤＡＢ放送局を見つけるために各放送局に対応付けられたＣＨ番号順にシーク動作をさせることになるが、ＤＡＢ放送局が少ないためシーク選局が完了するまで時間がかかる。
【０００５】
特許文献１には、受信可能なＤＡＢ信号の周波数をサーチして記憶し、ＤＡＢ信号の選局操作により、記憶してある周波数に同調してＤＡＢ信号を受信するＤＡＢ信号受信方法が記載されている。特許文献１記載のＤＡＢ信号受信方法は、受信可能なＤＡＢ信号の周波数をサーチして記憶しておくことで、シーク選局に要する時間短縮しようとする。
【０００６】
特許文献２には、ＤＡＢ信号の隣接周波数帯域の境界周波数を受信周波数とし、その時の受信電界強度が設定値以下の場合には、前記隣接する各周波数帯域内にＤＡＢ信号が存在しないと判定するＤＡＢ信号受信方法が記載されている。特許文献２記載のＤＡＢ信号受信方法は、受信電界強度が設定値以上となった時、隣接帯域の一方の帯域内に存在するＤＡＢ信号を受信することで、シーク選局に要する時間短縮しようとする。
【先行技術文献】
【特許文献】
【０００７】
【特許文献１】特開平１１−５５２１３号公報
【特許文献２】特開平１０−３２７０８６号公報
【発明の概要】
【発明が解決しようとする課題】
【０００８】
しかしながら、このような従来のＤＡＢ受信機にあっては、ＤＡＢのシーク時間短縮は可能であるものの、以下の課題があった。
【０００９】
特許文献１記載のＤＡＢ信号受信方法は、すべてのＤＡＢ放送周波数をサーチ対象としていないのでリアルタイム性に欠ける欠点がある。
【００１０】
特許文献２記載のＤＡＢ信号受信方法は、間引きシークしている状態（周波数又はＣＨ番号）をユーザに見せ続ける。間引きシークしている状態は、規則性のない表示状態である。このため、高速にシークが完了したとしても、ユーザには規則性のない不自然さが残るシーク動作が印象付けられてしまう。これでは、高速シークが行われていたとしても、シーク中の不自然表示ばかりが目に止まるという欠点がある。
【００１１】
本発明の目的は、選局状態を自然な態様で表示することができ、且つ選局動作を高速化することができるＤＡＢ受信機及びＤＡＢ信号受信制御方法を提供することである。
【課題を解決するための手段】
【００１２】
本発明に係るＤＡＢ受信機は、第１ＤＡＢチューナと、第２ＤＡＢチューナと、表示部と、所定周期で前記第１ＤＡＢチューナと前記第２ＤＡＢチューナの切替え動作を行う制御部と、を備えるＤＡＢ受信機において、前記制御部は、前記第１ＤＡＢチューナと前記第２ＤＡＢチューナとを相互に前記所定周期より短い周期でずらしたタイミングで切り替えて音声受信シーク動作させ、且つ、当該音声受信シーク動作中の放送局の局情報を順次切り替えて前記表示部に表示させる、構成を採る。
【００１３】
本発明に係るＤＡＢ信号受信制御方法は、第１ＤＡＢチューナと、第２ＤＡＢチューナと、表示部と、所定周期で前記第１ＤＡＢチューナと前記第２ＤＡＢチューナの切替え動作を行う制御部と、を備えるＤＡＢ受信機のＤＡＢ信号受信制御方法において、前記第１ＤＡＢチューナと前記第２ＤＡＢチューナとを相互に前記所定周期より短い周期でずらしたタイミングで切り替えて音声受信シーク動作させ、且つ、当該音声受信シーク動作中の放送局の局情報を順次切り替えて前記表示部に表示させる。
【発明の効果】
【００１４】
本発明によれば、局情報が規則的に遷移する自然な表示を行うことができ、且つ選局動作を高速化することができる。
【図面の簡単な説明】
【００１５】
【図１】本発明の実施の形態に係るＤＡＢ受信機の構成を示すブロック図
【図２】本実施の形態に係るＤＡＢ受信機のＤＡＢ ＣＨのアサイン表を示す図
【図３】本記実施の形態に係るＤＡＢ受信機のシーク開始からシーク停止までのシーク動作及び表示を説明する図
【図４】本記実施の形態に係るＤＡＢ受信機のＤＡＢ受信機の動作を示すフロー図
【図５】本記実施の形態に係るＤＡＢ受信機のＤＡＢ受信機の動作を示すフロー図
【図６】本記実施の形態に係るＤＡＢ受信機のチューナが４つの場合のシーク開始からシーク停止までのシーク動作及び表示を説明する図
【発明を実施するための形態】
【００１６】
以下、本発明の実施の形態について、図面を参照して詳細に説明する。
【００１７】
（実施の形態１）
図１は、本発明の実施の形態１に係るＤＡＢ受信機の構成を示すブロック図である。
【００１８】
図１に示すように、ＤＡＢ受信機１００は、第１アンテナ１０１、第２アンテナ１０２、音声受信用ＤＡＢチューナ（以下、第１チューナ）１１０、交通情報受信用ＤＡＢチューナ（以下、第２チューナ）１２０、制御部１３０、表示部１４０、操作部１５０、第１セレクタ１６０、第２セレクタ１７０、及びＤ／Ａ変換器１８０を、主に備える。
【００１９】
第１チューナ１１０は、ＲＦ部１１１、Ａ／Ｄ変換器１１２、及びデコーダ１１３を備える。第２チューナ１２０は、ＲＦ部１２１、Ａ／Ｄ変換器１２２、及びデコーダ１２３を備える。
【００２０】
第１チューナ１１０及び第２チューナ１２０は、受信したＤＡＢ信号から指定ＣＨのＤＡＢ信号を選局する。第１チューナ１１０及び第２チューナ１２０は、ＤＡＢ音声又は交通情報を受信する。第１チューナ１１０は、ここでは音声受信用ＤＡＢチューナであり、第２チューナ１２０は、交通情報受信用ＤＡＢチューナである。
【００２１】
ＲＦ部１１１，１２１は、第１アンテナ１０１及び第２アンテナ１０２により受信したベースバンドアナログ信号からＤＡＢ用ＲＦ信号を復調する。ＲＦ部１１１，１２１は、制御部１３０から指定されたＣＨに従ってＤＡＢ信号を選局する。
【００２２】
Ａ／Ｄ変換器１１２，１２２は、受信したＤＡＢ信号をデジタル信号に変換する。
【００２３】
デコーダ１１３，１２３は、デジタル信号を復調・復号を行いＤＡＢ音声用データ又は交通情報用データに変換する。デコーダ１１３，１２３は、指定されたＣＨでＤＡＢデータ受信が成功したか否かを判定する。
【００２４】
制御部１３０は、ＣＰＵ，ＲＯＭ，ＲＡＭ等からなるマイクロプロセッサにより構成され、ＤＡＢ受信機１００全体を制御するとともに、高速シーク動作制御を行う。具体的には、制御部１３０は、操作部１５０からの通知により、ＲＦ部１１１，１２１に対して所望のＣＨを指定する。また、制御部１３０は、デコーダ１１３，１２３からＤＡＢ受信結果を取得し、シーク停止するかシーク継続するかを判定する。さらに、制御部１３０は、第１セレクタ１６０及び第２セレクタ１７０に対して音声出力、交通情報出力するチューナを指定する。
【００２５】
上記高速シーク動作制御は、以下の通りである。
【００２６】
操作部１５０は、ユーザからのシーク選局指示を受付ける。
【００２７】
制御部１３０は、所定周期で第１チューナ１１０と第２チューナ１２０の切替え動作を行う。制御部１３０は、第１チューナ１１０と第２チューナ１２０とを相互に所定周期より短い周期でずらしたタイミングで切り替えて音声受信シーク動作させ、且つ、当該音声受信シーク動作中の放送局の局情報を順次切り替えて表示部１４０に表示させる。すなわち、制御部１３０は、シーク選局指示があった場合、第１チューナ１１０及び第２チューナ１２０に対して受信可能なＤＡＢ信号の周波数にシークさせて該当ＣＨを選局させる。制御部１３０は、第１チューナ１１０をシーク動作させ、第１チューナ１１０がシーク動作中に、第２チューナ１２０を、第１チューナ１１０のシーク動作中のシーク周期よりも半周期シーク周期ずらしてシーク動作させ、表示部１４０に、第１チューナ１１０のシーク動作のＣＨを表示させる。
【００２８】
第１セレクタ１６０は、制御部１３０から指定されたＤＡＢ音声用データの出力の切替を行う。
【００２９】
第２セレクタ１７０は、制御部１３０から指定された交通情報用データの出力の切替を行う。
【００３０】
Ｄ／Ａ変換器１８０は、デジタル音声信号をアナログ音声出力信号に変換する。
【００３１】
表示部１４０は、ＤＡＢ受信をしている状態表示（ＣＨ又は周波数表示）、又は、交通情報表示を行う。特に、表示部１４０は、選局中のＣＨを表示する。
【００３２】
操作部１５０は、シークボタン（図示略）を有し、シークボタン押下を含む各ユーザ操作を制御部１３０に通知する。
【００３３】
図２は、ＤＡＢ ＣＨのアサイン表を示す図である。
【００３４】
図２に示すように、ＤＡＢは、中心周波数に対するＣＨが割り当てられる。ＣＨは、ＤＡＢ放送局にアサインされる。しかし、ＤＡＢ放送局が少ないため使用周波数は少ない。このため、図２に示すＤＡＢ ＣＨアサイン表に記載の全６１ＣＨ分の周波数を、１ＣＨあたり３００ｍｓでシークした場合、シーク１周に要する時間は６１ＣＨ×３００ｍｓ＝１８．３秒となる。本発明者らが行った実機実測では１７秒程度であった。
【００３５】
このため、例えば２波しか放送局が受信できないエリアを想定した場合、運転中にシーク開始をしてから約９秒程度無音になる。この無音のシーク動作時間は、ユーザにとって非常に長い時間と感じる。
【００３６】
以下、上述のように構成されたＤＡＢ受信機１００の動作について説明する。
【００３７】
まず、基本的な考え方について述べる。
【００３８】
ＤＡＢ受信機１００は、２つのＤＡＢ受信用チューナである第１チューナ１１０及び第２チューナ１２０を備える。例えば、第１チューナ１１０はＤＡＢ受信用チューナ、第２チューナ１２０はＤＡＢ交通情報受信用チューナである。ＤＡＢ受信機１００は、シーク動作中は、ＤＡＢ受信用チューナに加えて、ＤＡＢ交通情報受信用チューナもシーク動作に一時的に利用する。
【００３９】
また、ＤＡＢ受信機１００は、２つのＤＡＢ受信用チューナを用いてシーク動作を実施するとき、第１チューナ１１０と第２チューナ１２０とが互いに半周期ずらしてシーク動作を行うと同時に、第１チューナ１１０と第２チューナ１２０の、半周期ずらしたシーク動作状態に関わらず、表示部１４０には、選曲中のＣＨを表示する。すなわち、２つのＤＡＢ受信用チューナを用いて、半周期ずらしてシーク動作を行うとともに、シーク中には１つのＤＡＢ受信用チューナで選曲しているかのようにＣＨ表示を行う。
【００４０】
このように、シークは、２チューナで行い、かつ、シーク動作を互いに半周期ずらしてシーク中のＣＨ表示を行うことで、ユーザには１チューナで高速にシーク動作をしているように見せることが可能となる。そのため、高速かつ不自然な動作をしないシーク動作を提供することができる。
【００４１】
次に、上記基本的な考え方に基づくＤＡＢ受信機１００の具体的な動作を説明する。
【００４２】
図３は、ＤＡＢ受信機１００のシーク開始からシーク停止までのシーク動作及び表示を説明する図である。図３（ａ）は、従来の１チューナのシーク動作、図３（ｃ）は、互いに半周期ずらしてシーク動作を行う第１チューナ１１０及び第２チューナ１２０のシーク動作例、図３（ｂ）は、図３（ｃ）のシーク動作時における表示部１４０の表示例を示す。図３中、英数字は、ＤＡＢ ＣＨを示している。
【００４３】
例えば、図３（ｂ）に示す第１チューナ１１０の「５Ａ」は、図２に示すＤＡＢ ＣＨのアサイン表の、ＣＨ「Ｌ２３」をシークしている。このとき、第１チューナ１１０に対して半周期ずらしてシーク動作を行うべき第２チューナ１２０は、図２に示すＤＡＢ ＣＨのアサイン表の、ＣＨ「５Ｂ」をシークする。図３（ａ）に示すように、表示部１４０には、第２チューナ１２０のシーク動作にも関わらず、第２チューナ１２０のシーク中のＣＨは表示せず、第１チューナ１１０のシーク中のＣＨである「５Ａ」のみを表示する。
【００４４】
図３でより詳細に説明する。
【００４５】
<事前条件>
（１）第１チューナ１１０がＤＡＢ受信用チューナとして用いられ、Ｌ２３（図２参照。以下同様。）を受信中である。
【００４６】
（２）第２チューナ１２０が交通情報受信用チューナとして用いられ、１２Ａを受信中である。
【００４７】
<事後条件>
（１）第１チューナ１１０が交通情報受信用チューナとして用いられ、１２Ａを受信中である。
【００４８】
（２）第２チューナ１２０がＤＡＢ受信用チューナとして用いられ、６Ｂを受信中である。
【００４９】
<動作>
図３のａ．に示すように、ユーザかシークボタンを押下することで第１チューナ１１０が５Ａを選局開始する。このとき、表示部１４０では、５Ａを表示する。
【００５０】
図３のｂ．に示すように、半周期時間経過後、第２チューナ１２０が５Ｂを選局開始する。このとき、表示部１４０は、５Ａを表示する。
【００５１】
図３のｃ．に示すように、第１チューナ１１０が５Ａを選局し、一定時間経過後、選局ＮＧと判定し、２ＣＨ先の５Ｃを選局開始する。このとき、表示部１４０では、第２チューナ１２０が選局中のＣＨ（５Ｂ）を表示する。
【００５２】
図３のｄ．に示すように、第２チューナ１２０が５Ｂを選局し、一定時間経過、選局ＮＧと判定し、２ＣＨ先の５Ｄを選局開始する。このとき、表示部１４０では、第１チューナ１１０が選局中のＣＨ（５Ｃ）を表示する。
【００５３】
図３のｅ．以下、同様の動作を繰り返す。
【００５４】
図３のｆ．に示すように、第２チューナ１２０が６Ｂを選局し、一定時間経過、選局ＯＫと判断すると、第１チューナ１１０はシーク動作を停止し、第１チューナ１１０がシーク開始前に受信していた交通情報ＣＨ（１２Ａ）を受信開始する。
【００５５】
このように、ＤＡＢ受信機１００は、音声受信のシーク動作中は、２つのＤＡＢチューナをシーク用に使用する。シーク動作中は、シーク周期を半周期ずらして各々のＤＡＢチューナを選局させ、そのときのシーク状態を表示部１４０に出力する。
【００５６】
ユーザからは１つのＤＡＢチューナでシークをしているように見えるので、図３（ｂ）に示すように、局情報が規則的に遷移する自然な表示を行うことができる。
【００５７】
また、図３（ｃ）に示すように、第１チューナ１１０と第２チューナ１２０とを相互に所定周期より短い周期でずらしたタイミングで切り替えて音声受信シーク動作させるので、図３（ａ）に示す従来の１チューナのシーク動作に比較して明らかにように、シーク時間を大幅に短縮させることができる。
【００５８】
図４及び図５は、ＤＡＢ受信機の動作を示すフローチャートである。以下のフローにおいて、Tuner1は第１チューナ１１０、Tuner2は第２チューナ１２０をいう。
【００５９】
<現在の設定例>（図４）
TunerMode設定＝Tuner1
CurrrentCH＝L23
１ＣＨあたりのシーク待ち時間設定（１周期の待ち時間）：３００ｍｓ
図４に示すように、本フローがスタートすると、ステップＳ１でシークボタンが押下されたか否かを判別する。
【００６０】
ステップＳ２では、制御部１３０は、TunerMode設定がTuner1か否かを判別し、TunerMode設定＝Tuner1の場合はステップＳ３に進み、TunerMode設定≠Tuner1の場合はステップＳ４に進む。
【００６１】
ステップＳ３で、制御部１３０は、カレントＣＨをインクリメントし（CurrentCH←CurrentCH+1）、Tuner1をCurrentCHで選局してステップＳ５に進む。
【００６２】
ステップＳ４で、制御部１３０は、カレントＣＨをインクリメントし（CurrentCH←CurrentCH+1）、Tuner2をCurrentCHで選局してステップＳ５に進む。
【００６３】
ステップＳ５で、制御部１３０は、このときのCurrentCHを表示部１４０に表示する。
【００６４】
ステップＳ６で、制御部１３０は、１／２周期待つ。
【００６５】
ステップＳ７で、制御部１３０は、TunerMode設定がTuner1か否かを判別し、TunerMode設定＝Tuner1の場合はステップＳ８に進み、TunerMode設定≠Tuner1の場合はステップＳ９に進む。
【００６６】
ステップＳ８で、制御部１３０は、Tuner2をCurrentCH+1で選局してステップＳ１０に進む。
【００６７】
ステップＳ９で、制御部１３０は、Tuner1をCurrentCH+1で選局してステップＳ１０に進む。
【００６８】
ここまでのシーケンスが、最初の１周期である。以下、ステップＳ１０からステップＳ１８までが半周期毎に次のＣＨを選局する処理となる。
【００６９】
ステップＳ１０で、制御部１３０は、１周期時間経過を待つ。
【００７０】
ステップＳ１１で、制御部１３０は、TunerMode設定がTuner1か否かを判別し、TunerMode設定＝Tuner1の場合はステップＳ１２に進み、TunerMode設定≠Tuner1の場合はステップＳ１５に進む。
【００７１】
ステップＳ１２で、Tuner1で受信したEnsembleでサービス情報が受信できたか否かを判別し、Tuner1で受信したEnsembleでサービス情報が受信できなかった場合は、ステップＳ１３に進み、Tuner1で受信したEnsembleでサービス情報が受信できた場合は、図４のフローを抜けて図５の受信できるＣＨが見つかり、シークを停止する時の処理に進む。
【００７２】
ステップＳ１３で、制御部１３０は、カレントＣＨをインクリメントし（CurrentCH←CurrentCH+1）、CurrentCHを表示部１４０に表示し、かつ、TunerMode設定にTuner2を設定する（TunerMode設定←Tuner2）。
【００７３】
ステップＳ１４で、制御部１３０は、Tuner1をCurrentCHで選局してステップＳ１８に進む。
【００７４】
一方、ステップＳ１５で、Tuner2で受信したEnsembleでサービス情報が受信できたか否かを判別し、Tuner2で受信したEnsembleでサービス情報が受信できなかった場合は、ステップＳ１６に進み、Tuner2で受信したEnsembleでサービス情報が受信できた場合は、図４のフローを抜けて図５の受信できるＣＨが見つかり、シークを停止する時の処理に進む。
【００７５】
ステップＳ１６で、制御部１３０は、カレントＣＨをインクリメントし（CurrentCH←CurrentCH+1）、CurrentCHを表示部１４０に表示し、かつ、TunerMode設定にTuner1を設定する（TunerMode設定←Tuner1）。
【００７６】
ステップＳ１８で、制御部１３０は、１／２周期待つ。
【００７７】
図５は、受信できるＣＨが見つり、シークを停止する時の処理である。
【００７８】
ステップＳ１９で、制御部１３０は、TunerMode設定がTuner1か否かを判別し、TunerMode設定＝Tuner1の場合はステップＳ２０に進み、TunerMode設定≠Tuner1の場合はステップＳ２２に進む。
【００７９】
ステップＳ２０で、制御部１３０は、Tuner2をSEEK開始前の交通情報CHに設定する。
【００８０】
ステップＳ２１で、制御部１３０は、Tuner1のデコーダ１１３にAudioDecode開始指示と第１セレクタ１６０に受信できた音声サービスのデータをＤ／Ａ変換器１８０に出力切替を行い、Tuner2のデコーダ１１３にDataServiceのDecode指示と受信できたデータサービスのデータを制御部１３０に出力切替を行い、本フローを終了する。
【００８１】
ステップＳ２２で、制御部１３０は、Tuner1をSEEK開始前の交通情報CHに設定する。
【００８２】
ステップＳ２３で、制御部１３０は、Tuner2のデコード１１３にAudioDecode開始指示と第１セレクタ１６０に受信できた音声サービスのデータをＤ／Ａ変換器１８０に出力切替を行い、Tuner1のデコーダ１１３にDataServiceのDecode指示と受信できたデータサービスのデータを制御部１３０に出力切替を行い、本フローを終了する。
【００８３】
図６は、チューナが４つの場合のＤＡＢ受信機のシーク開始からシーク停止までのシーク動作及び表示を説明する図である。図６（ｂ）は、互いに１／４周期ずらしてシーク動作を行う第１チューナ乃至第４チューナ（Tuner1乃至Tuner4）のシーク動作例、図６（ａ）は、図６（ｂ）のシーク動作時における表示部１４０の表示例を示す。図６中、英数字は、ＤＡＢ ＣＨを示している。
【００８４】
例えば、図６（ｂ）に示すTuner1の「５Ａ」は、図２に示すＤＡＢ ＣＨのアサイン表の、ＣＨ「５Ａ」をシークしている。このとき、Tuner1に対して１／４周期ずらしてシーク動作を行うTuner2は、図２に示すＤＡＢ ＣＨのアサイン表の、ＣＨ「５Ｂ」をシークする。図６（ａ）に示すように、表示部１４０には、Tuner2のシーク動作にも関わらず、第２チューナ１２０のシーク中のＣＨは表示せず、Tuner1のシーク中のＣＨである「５Ａ」のみを表示する。さにらに、図６（ｂ）に示すTuner3は、Tuner2に対して１／４周期ずらしてシーク動作を行うとともに、Tuner4は、Tuner3に対して１／４周期ずらしてシーク動作を行う。表示部１４０には、Tuner2−Tuner4のシーク動作のシーク中のＣＨ「５Ａ」−「５Ｄ」を順次表示する。
【００８５】
<動作>
図６のａ．に示すように、ユーザかシークボタンを押下することでTuner1が５Ａを選局開始する。このとき、表示部１４０では、５Ａを表示する。
【００８６】
図６のｂ．に示すように、１／４周期時間経過後、Tuner2が５Ｂを選局開始し、さらに１／４周期時間経過後、Tuner3が５Ｃを選局開始し、さらに１／４周期時間経過後、Tuner4が５Ｄを選局開始する。このとき、表示部１４０は、Tuner2−Tuner4のシーク動作に関わらず、５Ａを表示する。
【００８７】
図６のｃ．に示すように、Tuner1が５Ａを選局し、一定時間経過後、選局ＮＧと判定し、４ＣＨ先の６Ａを選局開始する。このとき、表示部１４０では、Tuner2が選局中のＣＨ（５Ｂ）を表示する。Tuner2が５Ｂを選局し、一定時間経過後、選局ＮＧと判定し、４ＣＨ先の６Ｂを選局開始する。このとき、表示部１４０では、Tuner3が選局中のＣＨ（５Ｃ）を表示する。Tuner3が５Ｃを選局し、一定時間経過後、選局ＮＧと判定し、４ＣＨ先の６Ｃを選局開始する。このとき、表示部１４０では、Tuner4が選局中のＣＨ（５Ｄ）を表示する。Tuner4が５Ｄを選局し、一定時間経過後、選局ＮＧと判定し、４ＣＨ先の６Ｄを選局開始する。このとき、表示部１４０では、Tuner1が選局中のＣＨ（６Ａ）を表示する。
【００８８】
図６のｅ．以下、同様の動作を繰り返す。
【００８９】
図６のｆ．に示すように、Tuner2が８Ｂを選局し、一定時間経過、選局ＯＫと判断すると、Tuner1,Tuner3,Tuner4はシーク動作を停止し、Tuner1がシーク開始前に受信していた交通情報ＣＨ（１２Ａ）を受信開始する。
【００９０】
このように、本実施の形態のＤＡＢ受信機は、音声受信のシーク動作中は、４つのＤＡＢチューナをシーク用に使用する。シーク動作中は、シーク周期を１／４周期ずらして各々のＤＡＢチューナを選局させ、そのときのシーク状態を表示部１４０に出力する。
【００９１】
ユーザからは１つのＤＡＢチューナでシークをしているように見えるので、図６（ａ）に示すように、局情報が規則的に遷移する自然な表示を行うことができる。
【００９２】
また、図６（ｂ）に示すように、Tuner1乃至Tuner4とを所定周期より短い周期でずらしたタイミングで切り替えて音声受信シーク動作させるので、シーク時間を大幅に短縮させることができる。
【００９３】
以上詳細に説明したように、本実施の形態によれば、ＤＡＢ受信機１００は、受信したＤＡＢ信号から指定ＣＨのＤＡＢ信号を選局する第１チューナ１１０及び第２チューナ１２０を備える。制御部１３０は、第１チューナ１１０と第２チューナ１２０とを相互に所定周期より短い周期でずらしたタイミングで切り替えて音声受信シーク動作させ、且つ、当該音声受信シーク動作中の放送局の局情報を順次切り替えて表示部１４０に表示させる。すなわち、制御部１３０は、第１チューナ１１０をシーク動作させ、第１チューナ１１０がシーク動作中に、第２チューナ１２０を、第１チューナ１１０のシーク動作中のシーク周期よりも半周期シーク周期をずらしてシーク動作させ、また表示部１４０に、第１チューナ１１０または第２チューナ１２０のシーク動作のＣＨを表示させる。
【００９４】
この構成により、第１チューナ１１０と第２チューナ１２０とが互いに半周期ずらしてシーク動作を行う。そして、互いに半周期ずらしたシーク動作状態に関わらず、表示部１４０には、選曲中のＣＨを表示することで、ユーザには１チューナで高速にシーク動作をしているように見せることが可能となる。これにより高速かつ不自然な動作をしないシーク動作を提供することができる。また、チューナが４つの場合は、１／４周期ずらすことが好ましい。
【００９５】
また、第１チューナ１１０と第２チューナ１２０のうち、一方は、通常ＤＡＢ交通情報を受信するために搭載しているチューナである。上記高速シーク動作の場合は、ＤＡＢ交通情報受信用チューナを、ＤＡＢ信号受信用チューナとして用いる。ＤＡＢ交通情報専用機能は一時的に使用できなくなるものの、２チューナによる高速シーク動作が可能になる。また、シーク中にＤＡＢ交通情報受信用チューナを利用することにより、チューナ数を増やさないでシーク動作の高速化ができるのでコスト増加が抑えられる効果がある。従って、装置構成の大型化を防止し、コストダウンを達成することができる。
【００９６】
以上の説明は本発明の好適な実施の形態の例証であり、本発明の範囲はこれに限定されることはない。
【００９７】
例えば、上記実施の形態では、第１チューナ１１０と第２チューナ１２０とが互いに半周期ずらしてシーク動作を行っているが、第１チューナ１１０がシーク動作中に、第２チューナ１２０を、所定シーク周期ずらすものであれば、半周期には限定されない。例えば、チューナが４つの場合は、１／４周期ずらすことが好ましい。
【００９８】
また、上記各実施の形態では、ＤＡＢ受信機及びＤＡＢ信号受信制御方法という名称を用いたが、これは説明の便宜上であり、装置はＤＡＢシステム、方法はＤＡＢ放送信号受信方法、高速シーク動作制御方法等であってもよい。
【００９９】
さらに、上記ＤＡＢ受信機を構成する各部、例えばＤＡＢチューナの構成・数、セレクタの種類などは前述した実施の形態に限られない。
【産業上の利用可能性】
【０１００】
本発明に係るＤＡＢ受信機及びＤＡＢ信号受信制御方法は、欧州で運用がされているＤＡＢ放送システムなど、ＤＡＢ受信機全般に適用することが可能である。
【符号の説明】
【０１０１】
１００  ＤＡＢ受信機
１０１  第１アンテナ
１０２  第２アンテナ
１１０  第１チューナ
１１１，１２１  ＲＦ部
１１２，１２２  Ａ／Ｄ変換器
１１３，１２３  デコーダ
１２０  第２チューナ
１３０  制御部
１４０  表示部
１５０  操作部
１６０  第１セレクタ
１７０  第２セレクタ
１８０  Ｄ／Ａ変換器
【図１】
2013207503.tif 000003
【図２】
2013207503.tif 000004
【図３】
2013207503.tif 000005
【図４】
2013207503.tif 000006
【図５】
2013207503.tif 000007
【図６】
2013207503.tif 000008